(57)【要約】【課題】  根太上に配列されたデッキ材の両側面凹溝内に、連結金具の押さえプレートを上方から挿入したドライバーにより締め付ける簡単な操作で、根太とデッキ材とを、ネジの締め付け力を用いて、しっかりと圧着固定できるデッキ構造を提供する。【解決手段】  両側面に凹溝４を設けたデッキ材２と根太１との間を、根太１に固定される受座プレート６と、デッキ材２の凹溝４内に係合される押さえプレート５とがネジ１１により連結され、かつ、両プレート５，６間の間隔が屈曲可能なセパレータ１２により保持された連結金具３によって連結固定する。【選択図】  図１
2006063747.tif 000002
【特許請求の範囲】
【請求項１】
根太材上に、床面を構成する複数のデッキ材が間隔をおいて平行に配列され、デッキ材と根太とが連結金具を介して一体に連結されるデッキ構造であって、
デッキ材は、両側面に前記連結金具の押さえプレートを係止するための長さ方向に沿った凹溝を備えており、
連結金具は、根太に固定される中央部にネジ孔を設けた受座プレートと、デッキ材両側面の凹溝内に係止される押さえプレートとの間が、上方から挿通したネジにより連結され、
連結金具の受座プレートと押さえプレートとの間に、前記ネジの締め付けにより屈曲可能なセパレータが設けられていることを特徴とするデッキ構造。
【請求項２】
根太が、上面に連結金具の受座プレートを係止するための長さ方向に沿った凹溝を備えており、
連結金具の受座プレートが、根太の前記凹溝内へ上方から落とし込める幅と、凹溝内で回転することで凹溝内の両側縁内側に係止される長さの長方形板からなっている請求項１のデッキ構造。
【請求項３】
連結金具の受座プレートが、根太の側面に配置されるブラッケトの垂直固定辺と直交する水平面からなっていて、前記垂直固定辺が根太にネジ止めされている請求項１のデッキ構造。
【請求項４】
連結金具の受座プレートと押さえプレートとの間を保持するセパレータがプラスチックからなっていて、受座プレートのネジ孔の周囲に配置された環状の基板と、この基板の両側から垂直に立ち上がる、ネジの太さより若干大きい横幅をもった左右一対の支持板とを備えていて、前記支持板の端部に突設した突片が、前記プレートにおけるネジ孔の周囲に開設した止め孔に係合されて、上下プレート間の間隔をセパレータの高さ位置に保持している請求項１のデッキ構造。
【発明の詳細な説明】
【技術分野】
【０００１】
本発明は、建築物のテラスやバルコニーなどに用いられるデッキ構造、特に、建築廃材などの木粉とプラスチックとの混合材を原料として成形されるデッキ材を用いたデッキ構造の改良に関するものである。
【背景技術】
【０００２】
従来より、木粉とプラスチックとを原料とするデッキ材を用いるこの種のデッキ構造では、デッキ材を構成する木質成分が気温の寒暖や湿度による影響を受けて、収縮、膨張、膨潤し易いという性質があり、デッキ材が膨張、膨潤により変形して互いに密着した場合には、排水性が阻害されるという問題が生ずるので、デッキ材は予め施工の時点で相互に密着させずに、僅かながら隙間が保持できるように取付け施工される。
【０００３】
このような事情から、この種のデッキ構造の基本形としては、根太の上面に、上端に水平方向に延びるフランジを設けた固定金具をネジ止めし、一方、デッキ材は、両側面に長さ方向に沿った凹溝を設けておいて、互いに隣接する左右のデッキ材の凹溝内へ前記固定金具のフランジの両側縁が係止されるように装着して、固定金具を介してデッキ材を根太に接続する構造が知られている。
【０００４】
【特許文献１】特開２００２−２０６２７６号公報
【特許文献２】特開２００１−３１７１２１号公報
【発明の開示】
【発明が解決しようとする課題】
【０００５】
特許文献１に示されるデッキ構造は、根太上にデッキ材を固定するための固定部材を取付けるが、この固定部材は、断面Ｕ字形のスペーサの底部を根太へネジ止めするとともに、上縁にそれぞれ外側方向へ延出するフランジを設けて、これらのフランジがデッキ材の両側面に設けられた凹溝内に係止される。
【０００６】
しかし、この固定部材の構造では、断面Ｕ字形スペーサの底部をネジで根太へ固定しても、Ｕ字形スペーサの底部と上方のフランジとの間の高さは一定なので、ネジによる締付け力は専らスペーサを根太に固定する手段として機能するだけで、上方のフランジをデッキ材の凹溝内へ圧着するための手段としては機能しない。そのため、フランジが単なる一枚の水平な板であると、このフランジが凹溝内で自由に動いてしまって、フランジによりデッキ材の凹溝を安定よく固定することができないという問題が生ずる。
【０００７】
このような理由から、この固定部材ではフランジの外縁を断面鈎形に折り曲げることで係止部を形成し、この鈎形の係止部がデッキ材の凹溝内へ嵌り込むことで、デッキ材が固定部材に固定されるような構造としているが、この構造では、フランジの外縁を、デッキ材の凹溝内へ適正に係合できるような、精度のある鈎形に折り曲げる加工が必要とされて工程が複雑となり、コスト高となるという問題と、前記のように、デッキ材の固定手段としては、鈎形係止部がデッキ材の凹溝内に係止されるだけで、ネジの締め付け力は鈎形係止部に伝えられないので、デッキ材の固定手段としては強度性に欠けるとともにガタツキが発生するという問題が指摘される。
【０００８】
一方、特許文献２に示されたデッキ構造では、根太上にデッキ材を固定するための固定具が取付けられていて、この固定具は、根太に挿通されるネジと、このネジの上端に設けられた円盤状のフランジとからなっており、このフランジの相対向する両縁部が隣接するデッキ材の側面の凹溝内に嵌め込まれた状態で、ネジの下端に螺着したナットを締め付けることで、デッキ材が根太に圧着固定される構造となっている。
【０００９】
このデッキ構造では、デッキ材の凹溝内に嵌め込んだ固定具のフランジを、ネジの下端に螺着したナットで締め付けて、ネジの締め付け力を利用してデッキ材を根太へ圧着固定することができるが、ネジの締め付け力をデッキ材と根太との圧着手段に用いるためには、ネジの下端にナットを螺着してナットを根太に締め付けなければならず、ネジの下端は根太の下方へ突出していて、上方からはその位置を正しく確認することができないために、ナットをネジの下端へ螺着する作業に手間取るという問題と、螺着したナットを締め付けるための作業が行いにくく、適切な締め付け力が得られないという問題を有している。
【課題を解決するための手段】
【００１０】
本発明は、従来におけるこの種のデッキ構造の問題点を解消し、上下２枚の係止プレートの間をネジにより連結し、上方の係止プレートをデッキ材の側面凹溝内に装着した状態で、ネジを上方から挿入したドライバーにより締め付けることにより、簡単な操作で根太とデッキ材とを、ネジの締め付け力を用いて、しっかりと圧着固定でき、また、経年後のネジの弛みに対しても、デッキ材を取り外すことなく、各デッキ材の隙間の上からドライバーにより増し締めができるようにしたデッキ構造の提供を目的としたものである。
【００１１】
本発明はそのための具体的手段として、根太上に、床面を構成する複数のデッキ材が間隔をおいて平行に配列され、デッキ材と根太とが連結金具を介して一体に連結されるデッキ構造であって、デッキ材は、両側面に前記連結金具の押さえプレートを係止するための長さ方向に沿った凹溝を備えており、連結金具は、根太に固定される中央部にネジ孔を設けた受座プレートと、デッキ材両側面の凹溝内に係止される押さえプレートとの間が、上方から挿通したネジにより連結され、連結金具の受座プレートと押さえプレートとの間に、前記ネジの締め付けにより屈曲可能なセパレータが設けられていることを特徴とする。
【００１２】
このデッキ構造に用いられる根太としては、上面に連結金具の受座プレートを係止するための長さ方向に沿った凹溝を備えていることが好ましく、また、連結金具としては、受座プレートが、根太の前記凹溝内へ上方から落とし込める横幅と、凹溝内で回転することで凹溝内の両側縁内側に係止される長さとをもった長方形の板からなっていることが好ましい。
【００１３】
一方、連結金具は、受座プレートが、根太の側面に配置されるブラッケトの垂直固定辺と直交する水平面からなっていて、前記垂直固定辺が根太にネジ止めされているような構造であってもよい。
【００１４】
また、連結金具の受座プレートと押さえプレートとの間を保持するセパレータはプラスチックからなっていて、受座プレートのネジ孔の周囲に配置されたネジ貫通孔を有する基板と、この基板の両側から垂直に立ち上がる、ネジの太さより若干大きい横幅をもった左右一対の支持板とを備えていて、前記支持板の端部に突設した突片が、前記プレートにおけるネジ孔の周囲に開設した止め孔に係合されて、上下プレート間の間隔をセパレータの高さ位置に保持しているような構造が好ましい。
【発明の効果】
【００１５】
このデッキ構造では、連結金具を、根太に固定される受座プレートと、デッキ材両側面の凹溝内に係止される押さえプレートとの間が、押さえプレートの上方から挿通して受座プレートのネジ孔へ螺着されるようなネジにより連結する構造としたので、押さえプレートをデッキ材の両側凹溝内へ係止して、この押さえプレートの上方に露呈するネジ頭部をネジ廻しにより回転すると、押さえプレートがネジにより締め付けられてデッキ材を根太へ圧着されるので、簡単な操作でデッキ材を根太に固定することができ、また、経年後のネジの弛みに対しても、デッキ材を取り外すことなく、各デッキ材の隙間の上からドライバーにより簡単に増し締めができる。
【００１６】
連結金具は、押さえプレートと受座プレートとネジだけで構成すると、ネジの下端が受座プレートのネジ孔に螺着されていて、押さえプレートとは遊挿されて螺着されていないので、ネジに対して押さえプレートが自由に動いてしまい、取扱いにくいという問題があるが、押さえプレートと受座プレートとの間には、ネジの締め付けにより屈曲可能なセパレータが介挿されているので、押さえプレートと受座プレートとの間隔が常にこのセパレータにより規制されて、押さえプレートが勝手に動かず、従って、連結金具として扱いやすく、押さえプレートをデッキ材の凹溝内へ装着し易い構造とすることができる。
【００１７】
押さえプレートと受座プレートとの間隔を規制するセパレータは、ネジの両側に配置される左右一対の支持板が、ネジの太さより若干大きい横幅を有しているので、受座プレートを根太に係止して、押さえプレートをデッキ材の凹溝内へ係止した時に、隣接する左右のデッキ材の側面が、セパレータにおける支持板の両側縁の横幅に規制されて、全てのデッキ材が支持板の横幅と同じ幅間隔に保持されることになる。また、支持板の横幅はネジの太さより若干大きいので、内側にあるネジが、左右のデッキ材の側面により圧迫されることがなく、ネジを常に回転し易い状態に維持することができる。
【発明を実施するための最良の形態】
【００１８】
本発明を実施するに際しては、デッキ材を固定するための根太として、上面に連結金具の下端係止辺の横幅を落とし込めるような横幅をもった凹溝を長さ方向に沿って設けておき、連結金具の受座プレートを上方から前記根太の凹溝内へ落とし込んで凹溝内で回転することにより、連結金具の受座プレートを凹溝の両側縁内側に係止できるようにし、連結金具の受座プレートをネジ止めすることなく根太に固定できるような構造とすることが好ましい。
【実施例】
【００１９】
次に、本発明に係るデッキ構造を図面に示す実施例について説明すると、このデッキ構造は、図１に示すように、根太１と、この根太１の上面に間隔をおいて平行に配列されて床面を構成する複数のデッキ材２と、前記根太１に前記デッキ材２を連結固定するための連結金具３とから基本的に構成されている。
【００２０】
デッキ材２は、木材、またはプラスチックからなるもの、または、廃材を利用した木粉とプラスチックとを混合した加工性、耐久性に優れた合成木材などからなっており、両側面の長さ方向に沿った中央位置にそれぞれ板厚の略３分の１程度の幅の凹溝４が設けられ、この凹溝４内に前記連結金具３の押さえプレート５が挿着されることで、隣接する一対のデッキ材２の相対向する側面２ａが、所定の間隔Ｗ１をおいて根太１に取り付けられるように構成されている。
【００２１】
この実施例で使用される根太１は、図６に示すうように、アルミ製の角材からなっていて、デッキ材２が配置されることになる上面１ａには、連結金具３の受座プレート６を係止するための長さ方向に沿った凹溝７が設けられている。この凹溝７の開口幅Ｗ２は、連結金具３の受座プレート６を、その長さ方向が凹溝７の長さ方向と平行になるような向きにして凹溝７内へ上方から落とし込めるような大きさとなっていて、連結金具３の受座プレート６が凹溝７内に落とし込まれた後に、受座プレート６を凹溝７内で９０度回転することで、受座プレート６の長さ方向に沿った両端部６ａが凹溝７の両側縁７ａの内側に係止されるように構成されている。
【００２２】
図６に示すように、根太１の凹溝７は、内側に凹溝７の開口幅Ｗ２よりも広い間隔をおいて設けられた隔壁９と、これらの隔壁９の間を結ぶ底板１０とからなる補強枠８が設けられるように構成されており、図６では、この補強枠８を有する凹溝７が根太１の四辺のうち一辺にだけ設けられた例を示しているが、この凹溝７は根太１の四辺に設けられるような構造としてもよい。
【００２３】
一方、根太１とデッキ材２とを連結する連結金具３は、図２乃至図４に示すように、根太１に固定されるための受座プレート６と、デッキ材２の両側面の凹溝４に係止されるための押さえプレート５と、両方のプレート５，６間に挿通されるネジ１１と、押さえプレート５と受座プレート６との間に挿通されたネジ１１を締め付けることで、両方のプレート５，６を所定の間隔に保持するためのセパレータ１２とから構成されている。
【００２４】
図１乃至図７に示す実施例の連結金具３では、受座プレート６が、根太１の上面に設けられた幅Ｗ２を有する凹溝７内へ上方から落とし込めるような横幅と、長さ方向に沿った両側縁を下方へ直角に折り曲げた補強辺１３とを備えた長方形の金属板からなっていて、中央部に前記ネジ１１の下端を螺着するためのネジ孔１４を有している。
【００２５】
また、上方の押さえプレート５は、両側縁がデッキ材両側面２ａの凹溝４内に係止されるような、前記受座プレート６の横幅よりも大きい長方形の金属板からなっていて、中央部にはネジ１１を自由に通す挿通孔１５が設けられており、このネジ挿通孔１５に頭１１ａを上にしたネジ１１が挿通され、ネジ１１の下端が下方の受座プレート６のネジ孔１４に螺着されている。
【００２６】
一方、セパレータ１２は、連結金具３の受座プレート６と押さえプレート５との間を所定の間隔に保持するためのもので、プラスチックからなっており、受座プレート６のネジ孔１４の周囲に配置された環状の基板１６と、この基板１６の両側から垂直に上方へ立ち上がる左右一対の支持板１７とを備えている。
【００２７】
上記左右一対の支持板１７は、図４に示すように、その横幅についてみると、ネジ１１の太さより若干大きい横幅Ｗ３を有しており、また、図５に示すように、長さについては、デッキ材凹溝４の下縁４ａからデッキ材下面２ｂまでの長さｈ１に、根太１の凹溝７の肉厚ｈ２を加えた長さより若干大きい長さＨからなっている。さらに、前記支持板１７の上下両端に突片１８，１９が設けられており、これらの突片１８，１９が、受座プレート６と押さえプレート５のネジ孔１４の周囲に開設した止め孔２０，２１に嵌め込まれて、支持板１７が上下のプレート５，６間の所定の位置に安定よく保持されるようになっている。
【００２８】
上記セパレータ１２は、左右の支持板１７が上下両プレート５，６間に挿着されたネジ１１の両側位置に、ネジ１１と平行して配列されるので、ネジ１１を上方から締め付けると、上下両プレート５，６の間隔が収縮することに伴って支持板１７が屈曲変形し、両プレート５，６に締め付け力に対する反力を伝える。
【００２９】
デッキ材２の取付け施工に際しては、図１のように、根太１の上方にデッキ材２を直交するように配列し、図７に鎖線で示すように、連結金具３の受座プレート６を、その長さ方向が根太１の凹溝７の長さ方向と平行するような向きとして凹溝７内へ落とし込み、次いで連結金具３を実線と点線で示すように９０度回転して、受座プレート６の長さ方向を根太凹溝７の長さ方向と交差させ、受座プレート６の両端部６ａを凹溝７の両側縁内側７ａに係止させる。
【００３０】
図７のように、連結金具３の受座プレート６を凹溝７内へ落とし込む際に、誤って連結金具３を手から離して落としてしまっても、上方の押さえプレート５の横幅の方が受座プレート６の横幅よりも大きいので、連結金具３が根太の凹溝７を通して下方へ落下して紛失することはない。
【００３１】
図１に示すように、受座プレート６を根太凹溝７内に係止した後、ネジ１１を少し緩めておいて、連結金具３を根太凹溝７の長さ方向に沿って左側のデッキ材２の凹溝４の方向へ移動させ、その状態で押さえプレート５の片方の側縁５ａをデッキ材凹溝４の上に楽に係合できるようにする。次いで、隣接する右側のデッキ材２を矢印の方向へ移動して、このデッキ材２の凹溝４へ前記連結金具３の押さえプレート５の他方の側縁５ａを係合する。
【００３２】
図１及び図５に示すように、押さえプレート５の両側縁５ａが隣接する一対のデッキ材２のそれぞれの凹溝４内へ係止されると、先に受座プレート６を根太凹溝７内で９０度回転したことにより、セパレータ１２における左右の支持板１７の横幅Ｗ３がデッキ材２の両側面２ａと直交する向きに配置されることになる。そのため、左右のデッキ材２の両側面２ａは、左右の支持板１７の両側縁と接触して、支持板１７を挟んだ位置で所定の幅間隔Ｗ１に保持されることになる。
【００３３】
上記のように、左右のデッキ材２の両側面２ａが左右の支持板１７の両側縁と接触して、支持板１７を挟んだ所定の幅間隔Ｗ１の位置に保持されると、左右の支持板１７の横幅Ｗ３はネジ１１の外径よりも大きいので、ネジ１１が左右のデッキ材２の両側面２ａと接触して回転を阻害されるということがなく、幅間隔Ｗ１に保持されたデッキ材両側面２ａの上方から挿入したネジ廻し２２により楽に回転でき、押さえプレート５をデッキ材凹溝４に具合よく圧着固定できる。そため、気温の変化による膨張・収縮に伴ったメンテナンスが必要となる場合に適切に対応することができる。
【００３４】
図８乃至図９は別の実施例を示しており、この実施例は凹溝を備えていない根太３１を使用する場合のものである。この場合には、根太３１に連結金具を係止するための凹溝が設けられていないので、連結金具３３は、受座プレート３６が根太３１の側面に配置されるブラッケト３８の垂直固定辺３９と直交する水平面からなっていて、前記垂直固定辺３９が根太３１の側面に止めネジ４０を差し込むことにより固定支持されている。
【００３５】
受座プレート３６の両側には、垂直固定辺３９との間に補強側板４３が設けられているとともに、垂直固定辺３９の背面には根太３１の上面に係止される鈎型の案内板４４が一体的に設けられていて、この案内板４４の上面４４ａによりブラッケト３８と連結金具３３を根太３１の側面の所定の高さ位置に保持し、かつ、根太３１の長さ方向に沿ってデッキ材３２の方向へスライドできるようになっている。なお、連結金具３３の受座プレート３６にはネジ孔３７が設けられていて押さえプレート３５との間にネジ４５が挿着されていること、また、受座プレート３６と押さえプレート３との間にセパレータ４２が設けられる点については先の実施例の構成と同じである。
【００３６】
この実施例の場合には、図８のように、いずれか一方のデッキ材例えば、左側のデッキ材３２を根太３１に固定した後、ラッケト３８を案内板４４により根太３１の側面に吊り掛けた状態で前記デッキ材３２の方向へスライドさせ、押さえプレート３５の一方の側縁３５ａをデッキ材３２の凹溝３４内に係止する。
【００３７】
この状態でブラッケト３８の垂直固定辺３９を止めネジ４０により根太３１に固定し、次いで、右側の隣接するデッキ材３２を、矢印のようにデッキ材３２の方向へ押し込んで、押さえプレート３５の他方の側縁３５ａをデッキ材３２の凹溝３４内に係止する。そして、最後に、両デッキ材３２の突き合わせ部上方から挿入したネジ廻し２２によりネジ４１を回転して、押さえプレート３５を両方のデッキ材の凹溝３４内へそれぞれ係止固定する。
【産業上の利用可能性】
【００３８】
本発明に係るデッキ構造は、第１の実施例のように、根太１に凹溝４が設けられている場合には、連結金具３の受座プレート６を凹溝４内へ落とし込んで、凹溝４内で９０度回転するだけで簡単に根太１へ係合できるという便利さを有し、また、互いに付き合わされるデッキ材の両側面２ａの間隔Ｗ１が、セパレータ１２の支持板１７の横幅に規制されることで全て均一な隙間間隔で施工できるという仕上がりの美麗さを有するで点で利用性が高く、信頼性の高いデッキ構造とすることができる。。
【００３９】
また、押さえプレート５と受座プレート６とを連結するネジ１１が、セパレータ１２の支持板１７の横幅内に保護されていて、デッキ材の両側面２ａが完全に弛みなく接合されたとしても、ネジがデッキ材両側面２ａと接触して、デッキ材両側面間に挟着されることがないので、ネジ１１は隙間の上方から挿入したネジ廻しにより常に回転できる状態が維持され、補修・修理を簡単に行えるという利点を有する。
【図面の簡単な説明】
【００４０】
【図１】本発明に係るデッキ構造の構成を示す斜視図。
【図２】このデッキ材構造に使用される連結金具の構造を示す斜視図。
【図３】図２のＡ−Ａ線における断面図。
【図４】図２のＢ−Ｂ線における断面図。
【図５】隣接するデッキ材を根太上で連結金具により連結した状態の断面図。
【図６】本発明のデッキ材構造に使用される根太の端面図。
【図７】根太の凹溝に連結金具の受座プレート挿着する工程を示す平面図。
【図８】別の実施例としてのデッキ構造の構成を示す斜視図。
【図９】図８のＣ−Ｃ線における断面図。
【符号の説明】
【００４１】
１、３１：根太、
２、３２：デッキ材、
３、３３：連結金具、
４、３４：凹溝、
５、３５：押さえプレート、
６、３６：受座プレート、
７：根太凹溝、
８：補強枠、
９：隔壁、
１０：底板、
１１、４１：ネジ、
１２、４２：セパレータ、
１３：補強辺、
１４：ネジ孔、
１５：ネジ挿通孔、
１６：基板、
１７：支持板、
１８、１９：突片、
２０、２１：止め孔、
２２：ネジ廻し、
３７：ネジ孔、
３８：ブラッケト、
３９：垂直固定辺、
４０：止めネジ、
４３：補強側板、
４４：案内板、
【図１】
2006063747.tif 000003
【図２】
2006063747.tif 000004
【図３】
2006063747.tif 000005
【図４】
2006063747.tif 000006
【図５】
2006063747.tif 000007
【図６】
2006063747.tif 000008
【図７】
2006063747.tif 000009
【図８】
2006063747.tif 000010
【図９】
2006063747.tif 000011